(57)【要約】【課題】複数のレーザ光を同時に発光させた時のそれぞれのレーザ光に加える電流を適切に制御するレーザ光の発光制御装置等を提供する。【解決手段】本願のレーザ光の発光制御装置Ｓは、電流により発光し、過電流に対する耐性に差がある２つの発光素子と、各前記発光素子から出射されるレーザ光を同一の受光素子で受光する受光手段と、前記発光素子のうち、一方の発光素子よりも過電流に対する耐性が低い他の発光素子を前記一方の発光素子よりも先に発光させる第１の発光制御手段と、前記他の発光素子のみから発光されたレーザ光を受光した時のレーザ光の発光量を基準値として定め、当該基準値を一定に保つように前記他の発光素子に印加される電流を制御して前記他の発光素子を継続して発光させる第２の発光制御手段と、前記他の発光素子の発光後に予め定められた電流値で前記一方の発光素子を発光させる第３の発光制御手段と、を具備する【選択図】図２
2007273745.tif 000002
【特許請求の範囲】
【請求項１】
電流により発光し、過電流に対する耐性に差がある２つの発光素子と、
各前記発光素子から出射されるレーザ光を同一の受光素子で受光する受光手段と、
前記発光素子のうち、一方の発光素子よりも過電流に対する耐性が低い他の発光素子を前記一方の発光素子よりも先に発光させる第１の発光制御手段と、
前記他の発光素子の発光後に予め定められた電流値で前記一方の発光素子の発光を開始させる第２の発光制御手段と、
前記一方の発光素子の発光開始の前後を通じて、前記受光手段から出力される受光信号に基づき、前記他の発光素子の発光量を一定化するように当該他の発光素子の発光を制御する第３の発光制御手段と、
を具備することを特徴とするレーザ光の発光制御装置。
【請求項２】
前記発光素子から出射されるレーザ光の光学媒体に対する光軸調整を行う際に前記一方の発光素子と他の発光素子の両方を発光させることを特徴とする請求項１に記載のレーザ光の発光制御装置。
【請求項３】
電流により発光し、過電流に対する耐性に差がある２つの発光素子のうち、一方の発光素子よりも過電流に対する耐性が低い他の発光素子を前記一方の発光素子よりも先に発光させる第１の発光制御工程と、
前記他の発光素子の発光後に予め定められた電流値で前記一方の発光素子の発光を開始させる第２の発光制御工程と、
前記一方の発光素子の発光開始の前後を通じて、前記各発光素子から出射されるレーザ光を同一の受光素子で受光する受光手段から出力される受光信号に基づき、前記他の発光素子の発光量を一定化するように当該他の発光素子の発光を制御する第３の発光制御工程と、
を具備していることを特徴とするレーザ光の発光制御方法。
【請求項４】
コンピュータによって、電流により発光し、過電流に対する耐性に差がある２つの発光素子のそれぞれに電流を印加して発光させる電流制御プログラムであって、
前記コンピュータを、
各前記発光素子から出射されるレーザ光を同一の受光素子で受光する受光手段、
前記発光素子のうち、一方の発光素子よりも過電流に対する耐性が低い他の発光素子を前記一方の発光素子よりも先に発光させる第１の発光制御手段、
前記他の発光素子の発光後に予め定められた電流値で前記一方の発光素子の発光を開始させる第２の発光制御手段、及び、
前記一方の発光素子の発光開始の前後を通じて、前記受光手段から出力される受光信号に基づき、前記他の発光素子の発光量を一定化するように当該他の発光素子の発光を制御する第３の発光制御手段、
として機能させることを特徴とするレーザ光の発光制御プログラム。
【発明の詳細な説明】
【技術分野】
【０００１】
本願は、発光素子に流れる電流を制御するレーザ光の発光制御装置等に関する。
【背景技術】
【０００２】
一般に、ＣＤ（Compact Disc）やＤＶＤ（Digital Versatile Disc）などの光学媒体を再生、又は光学媒体に記録するＤＶＤプレーヤやＤＶＤレコーダなどの記録又は再生装置を製品として製造する過程において、レーザ光の光軸調整が行われる。
【０００３】
レーザダイオード（以下、「ＬＤ」と称する。）から光学媒体に出射されるレーザ光の光軸の傾きを検査する装置は従来から存在している（例えば、特許文献１）。
【０００４】
特許文献１の装置は、ＬＤから出射されるレーザ光を、非点収差生成用のレンズを通過させ、当該レンズを通過したレーザ光を受光面が上下左右に配置された４つの受光領域に分割された光電子素子によって受光し、それぞれの受光領域が受光した値を比較することによって出射光の光軸の傾きを検出するものである。
【０００５】
一方、記録密度の異なる２種類の光ディスクを記録・再生するための光ピックアップ装置が従来から存在し、当該光ピックアップ装置は、例えば、ＤＶＤ用のレーザ光とＣＤ用のレーザ光との２種類のレーザ光を使い分けて記録・再生を行う。
【０００６】
このような光ピックアップ装置に取り付けられているレーザダイオードは、一般に２波長レーザと称されるものであって、その構造は、１つの管の中に波長の異なるレーザを出射させるための２つのチップが設けられている。そして、光学媒体の種類によって、例えば、ＤＶＤは１つのレーザ光で、ＣＤは３つのレーザ光で受光部のサーボを制御するようになっている。
【０００７】
上記光ピックアップ装置におけるレーザ光の光軸の傾きを調整する際には、図１（ａ）の矢印に示すように、レーザダイオードの傾きを図中線Ｌ１のように調整して、ＣＤ及びＤＶＤのメインビームの受光部２１、２２の中心にメインビームを合わせた上で、ＣＤのサブビームの受光部２３におけるサブビームの受光位置を調整するようになっている。
【０００８】
また、ＤＶＤ−ＲＡＭなど一部の光学媒体では３つのビームで受光部のサーボを制御したい場合がある。このような場合には、図１（ｂ）の矢印に示すように、レーザダイオードの傾きを図中線Ｌ１のように調整して、ＣＤ及びＤＶＤのメインビームの受光部２１、２２の中心にメインビームを合わせた上で、ＤＶＤ及びＣＤの両方のサブビーム２３、２４の受光部におけるサブビームの受光位置を調整するようになっている。
【０００９】
【特許文献１】特開２００５−１２１４４８号公報
【発明の開示】
【発明が解決しようとする課題】
【００１０】
例えば、図１（ｂ）に示すように、ＤＶＤ−ＲＡＭとＣＤの光学媒体をそれぞれ３つのビームで受光部のサーボを制御する場合は、両方のＬＤからレーザ光を発光して調整すれば、調整時間の短縮に繋がり便利である。
【００１１】
一般的に光ピックアップ装置は、各ＬＤから出射されるレーザ光の光量をモニターにより受光し、ＡＰＣ回路によって当該モニターにより受光された各ＬＤの発光量をフィードバックさせて前記各ＬＤに印加する電流を制御するようになっているが、例えば、両方のＬＤを同時に発光させると、モニターダイオードは、各ＬＤから発光される両方の光を一度に受光してしまうため、どちらのレーザがどの位光っているのかを判別できないという問題がある。
【００１２】
また、２つのＬＤを同時に発光させてこれらをモニターで同時に受光することで各ＬＤに印加する電流をフィードバック制御しようとすると、各ＬＤからの発光量が個別に制御できないため、レーザの耐性が低い側のＬＤに過電流が流れてしまい破損する可能性が考えられる。
【００１３】
そこで、このような課題の一例を解消するために、本願は、２つのレーザ光を発光させた時のそれぞれのレーザ光に加える電流を適切に制御する電流制御装置等を提供することを目的とする。
【課題を解決するための手段】
【００１４】
上述した課題を解決するため、本願請求項１に記載のレーザ光の発光制御装置は、電流により発光し、過電流に対する耐性に差がある２つの発光素子（Ａ、Ｂ）と、各前記発光素子から出射されるレーザ光を同一の受光素子で受光する受光手段（８）と、前記発光素子のうち、一方の発光素子よりも過電流に対する耐性が低い他の発光素子を前記一方の発光素子よりも先に発光させる第１の発光制御手段（１１）と、前記他の発光素子の発光後に予め定められた電流値で前記一方の発光素子の発光を開始させる第２の発光制御手段（１３）と、前記一方の発光素子の発光開始の前後を通じて、前記受光手段から出力される受光信号に基づき、前記他の発光素子の発光量を一定化するように当該他の発光素子の発光を制御する第３の発光制御手段（１１）と、を具備することを特徴とする。
【００１５】
また、本願請求項３に記載のレーザ光の発光制御方法は、電流により発光し、過電流に対する耐性に差がある２つの発光素子のうち、一方の発光素子よりも過電流に対する耐性が低い他の発光素子を前記一方の発光素子よりも先に発光させる第１の発光制御工程と、前記他の発光素子の発光後に予め定められた電流値で前記一方の発光素子の発光を開始させる第２の発光制御工程と、前記一方の発光素子の発光開始の前後を通じて、前記各発光素子から出射されるレーザ光を同一の受光素子で受光する受光手段から出力される受光信号に基づき、前記他の発光素子の発光量を一定化するように当該他の発光素子の発光を制御する第３の発光制御工程と、を具備していることを特徴とする。
【００１６】
さらに、本願請求項４に記載のレーザ光の発光制御プログラムは、コンピュータによって、電流により発光し、過電流に対する耐性に差がある２つの発光素子のそれぞれに電流を印加して発光させる電流制御プログラムであって、前記コンピュータを、各前記発光素子から出射されるレーザ光を同一の受光素子で受光する受光手段、前記発光素子のうち、一方の発光素子よりも過電流に対する耐性が低い他の発光素子を前記一方の発光素子よりも先に発光させる第１の発光制御手段、前記他の発光素子の発光後に予め定められた電流値で前記一方の発光素子の発光を開始させる第２の発光制御手段、及び前記一方の発光素子の発光開始の前後を通じて、前記受光手段から出力される受光信号に基づき、前記他の発光素子の発光量を一定化するように当該他の発光素子の発光を制御する第３の発光制御手段、として機能させることを特徴とする。
【発明を実施するための最良の形態】
【００１７】
以下、本願の最良の実施形態について添付図面に基づいて説明する。図２はレーザ光の発光制御装置の概略構成図、図３は光学部の概略図、図４はレーザ光の発光制御装置の動作の一例を示すフローチャート図である。
【００１８】
本実施形態のレーザ光の発光制御装置（以下、「発光制御装置Ｓ」と称する。）は、電流によって発光し、過電流に対する耐性に差がある２つの発光素子Ａ及びＢを備えた発光制御装置Ｓにおいて、前記発光素子Ａ、Ｂから出射されるレーザ光の光学媒体に対する光軸調整を行う場合に、前記２つの発光素子の両方を発光させて行う時の、特に耐性の低い側の発光素子Ａに入力される電流の制御に関するものである。また、一般に２波長レーザと称される、例えば、ＣＤ用とＤＶＤ用の２つのＬＤを１つの管の中に備えた構造の発光素子の場合、一般的にＤＶＤ用のＬＤが過電流に弱いことが知られている。
【００１９】
また、本実施形態の発光制御装置Ｓは、図示しないが、より具体的には、例えば、ＣＤ（Compact Disc）及びＤＶＤ（Digital Versatile Disc）など特性の異なる光学媒体を再生、又は当該光学媒体に記録するための記録又は再生装置に適用される。以下の説明において、便宜的に、発光素子ＡをＤＶＤ用の発光素子として、発光素子ＢをＣＤ用の発光素子として説明を行う。
【００２０】
本実施形態の発光制御装置Ｓは、図２に示すように、電流により発光し、ＤＶＤとＣＤなどのように特性の異なる光学媒体のそれぞれにレーザ光を出射する２つの発光素子Ａ及びＢと、発光素子Ａ又はＢから出射されるレーザ光を同一の受光素子で受光するモニター８と、を備える光学部４と、発光素子Ａ及びＢに電流を印加する駆動部６と、モニター８が受光した発光量に基づいて発光素子Ａに印加される電流値を制御するＡＰＣ回路部１１と、予め定められた電流値で発光素子Ｂに印加される電流値を制御するＡＣＣ回路部１３と、を具備している。そして各部は、図示しないシステム制御部により統括的に制御される。
【００２１】
光学部４は、図３に示すように、１つの管の中に設けられるレーザダイオードなどの２つの発光素子Ａ及びＢと、モニターダイオードなどの受光素子からなるモニター８と、発光素子Ａに電流を入力する端子Ｄと、発光素子Ｂに電流を入力する端子Ｅと、モニター８で受光された発光量に対応する電流（受光信号）を出力する端子Ｆと、を備えて構成されている。端子Ｄは発光素子Ａと電気的に接続され、端子Ｅは発光素子Ｂと電気的に接続されている。また、端子Ｅはモニター８として機能する受光素子と電気的に接続され、当該受光素子２は、発光素子Ａ及びＢの光路上に設けられている。
【００２２】
このように構成された光学部４において、発光素子Ａは、駆動部６によって端子Ｄから入力される電流によって発光し、発光素子Ｂは、駆動部６によって端子Ｅから入力される電流によって発光する。また、当該発光素子Ａ又はＢからレーザ光が発光されると、それぞれの発光素子Ａ又はＢから発光されるレーザ光がモニター８により受光され、当該受光したレーザ光の発光量に対応する電流が端子Ｆから出力されるようになっている。
【００２３】
駆動部６は、光学部４の端子Ｄ及びＥと電気的に接続され、ＡＰＣ回路部１１の指示により電流を光学素子Ａに印加、又はＡＣＣ回路部１３の指示により電流を光学素子Ｂに印加するようになっている。
【００２４】
また、モニター８は、ＡＰＣ回路部１１と電気的に接続され、光学部４の端子Ｆから出力された電流値をＡＰＣ回路部１１に入力するようになっている。
【００２５】
ＡＰＣ回路部１１は、発光素子Ａのみが発光された時のレーザ光の発光量を基準となる発光量として定め、前記基準となる発光量を一定に保つように、発光素子Ａに印加される電流値を制御する。具体的には、本実施形態では、まず、発光素子Ａのみを発光させ、その後発光素子Ａを継続して発光させた状態で発光素子Ｂを発光するようになっているが、その場合に、ＡＰＣ回路部１１は、発光素子Ｂの発光開始の前後を通じて、基準となる発光量を一定に保つように発光素子Ａに印加される電流値を制御する。よって、発光素子Ｂの発光開始後においては、モニター８は発光素子Ａの発光量と発光素子Ｂの発光量との加算値を発光素子Ａの発光量と見なして、ＡＰＣ回路部１１は発光素子Ａの発光を制御することとなり、結果的に発光素子Ｂの発光開始前（発光素子Ａのみを発光している状態）に比して、発光素子Ｂの発光開始後の方が発光素子Ａの発光量が減少することとなり、発光素子Ａの劣化を抑制することができるようになっている。
【００２６】
ＡＣＣ回路部１３は、モニター８が受光する発光量に関係なく、予め定められた電流値で発光素子Ｂに印加される電流値を制御する。具体的には、ＡＣＣ回路部１３は、駆動部６に対して、発光素子Ｂに予め定められた電流値を印加する指示を行うようになっている。
【００２７】
システム制御部（図示なし）は、主として演算機能を有するＣＰＵ（Central Processing Unit）、作業用ＲＡＭ、及び各種データやプログラムを記憶するＲＯＭを備えて構成されている。当該ＣＰＵが、例えばＲＯＭに記憶された各種プログラムを実行することにより、各部を制御するとともに電流制御装置全体を統括制御する。
【００２８】
システム制御部は、ＡＰＣ回路部１１によって、まず発光素子Ａを発光素子Ｂよりも先に発光させ、次に、ＡＰＣ回路部１１によって発光素子Ａを継続して発光させつつ、ＡＣＣ回路部１１によって、発光素子Ａの発光後に発光素子Ｂを発光させる。そして、ＡＰＣ回路部１１によって、発光素子Ｂの発光開始の前後を通じて、前記モニター８から出力される受光信号に基づき、発光素子Ａの発光量を一定化するように発光素子Ａの発光を制御するようになっている。
【００２９】
なお、本実施形態のモニター８は、本願の受光手段を構成する。また、本実施形態のＡＰＣ回路部１１は、本願の第１及び第３の発光制御手段を構成するとともに、本実施形態のＡＣＣ回路部１３は、本願の第２の発光制御手段を構成する。
【００３０】
次に、本実施形態の発光制御装置の動作について、図４を用いて説明する。なお、ＤＶＤ用のＬＤに印加される電流はＣＤ用のＬＤに印加される電流よりも小さいので、発光素子Ａに印加される電流は発光素子Ｂに印加される電流よりも小さいものとして説明する。また、理解しやすいように、図２に対応する符号を付することとするが、これにより本願が限定されるものではない。
【００３１】
まず、システム制御部は、ＡＰＣ回路部１１を駆動させて、駆動部６によって発光素子Ａに電流を徐々に印加し、発光素子Ａのみを発光させる。発光素子Ａから出射される光ビームは、その光路上に設けられるモニター８によって受光され、当該受光した光ビームの発光量に対応する電流値がモニター８から出力されるようになっている。モニター８から出力された電流値はＡＰＣ回路部１１に入力され、当該ＡＰＣ回路部１１は、基準となる発光量を一定に保つように、駆動部６によって発光素子Ａに入力される電流値を継続して制御する。
【００３２】
次いで、システム制御部は、ＡＰＣ回路部１１により発光素子Ａを継続して発光させつつ、ＡＣＣ回路部１３を駆動して、発光素子Ｂに予め定められた電流値を駆動部６によって印加させ、発光素子Ｂを発光させる。モニター８は、発光素子Ａから出射される光ビームの発光量に発光素子Ｂから出射される光ビームの発光量が加えられた発光量を受光し、その受光量に対応する電流値を出力するようになっている。
【００３３】
次いで、ＡＰＣ回路部１１には、モニター８から出力された電流値が入力されるので、ＡＰＣ回路部１１は、基準となる発光量を一定に保つために、駆動部６によって発光素子Ａに入力される電流を下げて所定の電流値を印加して、発光素子Ａの発光を継続する。
【００３４】
発光素子Ａ及び発光素子Ｂの両方からレーザ光が出射された場合において、モニター８には、発光素子Ａの発光量に発光素子Ｂの発光量が加えられた発光量が受光されるので、ＡＰＣ回路部１１は、基準となる発光量を一定に保つために、駆動部６に対して発光素子Ａに入力される電流を下げるように指示する。
【００３５】
よって、発光素子Ａから発光される光量は発光素子Ａのみで発光した発光量よりも減ることとなるが、光軸調整においては、発光素子の発光量は特に考慮されず、単に、発光していれば良いため、特に問題となることはない。
【００３６】
次に光学部の他の実施形態について図５を用いて説明する。
【００３７】
上記で説明した光学部４は、１つの管の中に２つのＬＤ（Ａ及びＢ）と、当該ＬＤ（Ａ及びＢ）から出射されるレーザ光の発光量を受光する受光素子からなるモニター８と、を備え、光学部４を一体的に形成された形態であったが、図５に示すように、それぞれのＬＤ（Ａ又はＢ）を別体として光学部４ａが構成されても構わない。
【００３８】
図５に示すように、本実施形態の光学部４ａは、ＤＶＤ用のＬＤ（Ａ）を備えた第１の発光部１６と、ＣＤ用のＬＤ（Ｂ）を備えた第２の発光部１７と、ＣＤ用のＬＤ（Ｂ）から出射されるレーザ光をＤＶＤ用のＬＤ（Ａ）から出射されるレーザ光の光路に導く反射体１８と、それぞれのＬＤ（Ａ又はＢ）から出射されるレーザ光の発光量を受光するモニター８と、を備えている。また、第１の発光部１６には、当該ＤＶＤ用のＬＤ（Ａ）を発光するための電流を入力する端子Ｄが設けられ、第２の発光部１７には、当該ＣＤ用のＬＤ（Ｂ）を発光するための電流を入力する端子Ｅが設けられている。また、モニター８には、それぞれのＬＤ（Ａ又はＢ）から発光されたレーザ光の発光量に対応する電流値を出力する端子Ｆが設けられている。
【００３９】
以上に説明したように、本実施形態の発光制御装置Ｓでは、発光素子ＡはＡＰＣ回路部１１を介して電流が制御されて発光されるのに対し、発光素子ＢはＡＣＣ回路部１３を介して電流が制御されて発光される。また、発光素子Ａは、発光素子Ａのみで発光した発光量が基準値として定められ、その基準値を一定に保つようにフィードバックして発光素子Ａに入力される電流が制御されるものの、発光素子Ｂには、モニター８によって出力された電流値は参照されずに、予め定まった電流値が発光素子Ｂに入力されるようになっている。
【００４０】
また、本実施形態の発光制御装置Ｓでは、まず発光素子Ａを発光させた後に当該発光素子Ａを継続して発光させた状態で発光素子Ｂを発光させ、当該発光素子Ａ及びＢの両方を発光させた場合において、ＡＰＣ回路部１１によってモニター８から出力される電流値がフィードバックされて発光素子Ａに入力される電流が基準値にしたがって制御されるため、結果的に発光素子Ａに過電流が流れることが防止され、過電流による発光素子Ａの破損が防止されるようになっている。
【図面の簡単な説明】
【００４１】
【図１】光軸調整を行う際の一例を示し、図１（ａ）は従来のレーザ光を受光する形態図、図１（ｂ）は本願のレーザ光を受光する形態図である。
【図２】発光制御装置の概略構成図である。
【図３】光学部の概略図である。
【図４】発光制御装置の動作の一例を示すフローチャート図である。
【図５】光学部の他の実施形態を示す概略図である。
【符号の説明】
【００４２】
Ａ、Ｂ  発光素子
Ｓ  発光制御装置
８  モニター
１１  ＡＰＣ回路部
１３  ＡＣＣ回路部
【図１】
2007273745.tif 000003
【図２】
2007273745.tif 000004
【図３】
2007273745.tif 000005
【図４】
2007273745.tif 000006
【図５】
2007273745.tif 000007